(57)【要約】【課題】発信先の移動体通信端末が移動体通信サービスエリア圏外にいるときに送信された情報を、煩雑な操作を行うことなく、発信先の移動体通信端末に送信することができる移動体通信システムを提供する【解決手段】交換機１１１は、発信先の携帯電話機１０５が移動体通信サービスエリア圏外にいるときに、発信元の携帯電話機１０１から送信されたデータをデータ変換サーバ１０７へ送信する。データ変換サーバ１０７は、携帯電話機１０１にメッセージの録音を促し、携帯電話機１０１から受信した音声データをパケットデータに変換して記憶する。データ変換サーバ１０７は、携帯電話機１０５との通信が可能になったときに、記憶しているパケットデータを携帯電話機１０５へ送信する。【選択図】図１
2008199300.tif 000002
【特許請求の範囲】
【請求項１】
移動体通信網に接続されたデータ変換サーバであって、
移動体通信網を介して発信元の移動体通信端末から発信先の移動体通信端末に送信された音声データを受信する受信手段と、
音声データをパケットデータに変換するデータ変換手段と、
前記データ変換手段が変換したパケットデータ、または前記受信手段が受信した音声データを記憶する記憶手段と、
パケットデータを前記発信先の移動体通信端末に送信する送信手段とを備え、
前記送信手段は、前記発信先の移動体通信端末との通信が可能になったときに、パケットデータを前記発信先の移動体通信端末に送信する
ことを特徴とするデータ変換サーバ。
【請求項２】
移動体通信網に接続されたデータ変換サーバであって、
移動体通信網を介して発信元の移動体通信端末から発信先の移動体通信端末に送信された音声データを受信する受信手段と、
音声データをパケットデータに変換するデータ変換手段と、
前記データ変換手段が変換したパケットデータ、または前記受信手段が受信した音声データを記憶する記憶手段と、
前記受信手段が音声データを受信したことを示す情報を、前記発信先の移動体通信端末に送信する送信手段とを備え、
前記送信手段は、前記発信先の移動体通信端末との通信が可能になったときに、前記受信手段が音声データを受信したことを示す情報を、前記発信先の移動体通信端末に送信する
ことを特徴とするデータ変換サーバ。
【請求項３】
送信手段は、発信元の移動体通信端末を示す情報と、パケットデータまたは音声データが記憶されている記憶場所を示す情報とを、発信先の移動体通信端末に送信する
請求項２記載のデータ変換サーバ。
【請求項４】
発信元の移動体通信端末に送信された音声データを、発信先の移動体通信端末に応じた送信先に送信する交換機を備えた移動体通信システムにおいて、
前記交換機を介して発信元の移動体通信端末から発信先の移動体通信端末に送信された音声データを受信する受信手段と、音声データをパケットデータに変換するデータ変換手段と、前記データ変換手段が変換したパケットデータ、または前記受信手段が受信した音声データを記憶する記憶手段と、パケットデータを前記発信先の移動体通信端末に送信する送信手段とを含むデータ変換サーバを備え、
前記交換機は、
前記発信先の移動体通信端末が電波送受信不能状態にある場合に、音声データを前記データ変換サーバに送信する音声データ送信手段を含み、
前記データ変換サーバの前記送信手段は、前記発信先の移動体通信端末との通信が可能になったときに、パケットデータを前記発信先の移動体通信端末に送信する
ことを特徴とする移動体通信システム。
【請求項５】
発信元の移動体通信端末に送信された音声データを、発信先の移動体通信端末に応じた送信先に送信する交換機を備えた移動体通信システムにおいて、
前記交換機を介して発信元の移動体通信端末から発信先の移動体通信端末に送信された音声データを受信する受信手段と、音声データをパケットデータに変換するデータ変換手段と、前記データ変換手段が変換したパケットデータ、または前記受信手段が受信した音声データを記憶する記憶手段と、前記受信手段が音声データを受信したことを示す情報を、前記発信先の移動体通信端末に送信する送信手段とを含むデータ変換サーバを備え、
前記交換機は、
前記発信先の移動体通信端末が電波送受信不能状態にある場合に、音声データを前記データ変換サーバに送信する音声データ送信手段を含み、
前記データ変換サーバの前記送信手段は、前記発信先の移動体通信端末との通信が可能になったときに、前記受信手段が音声データを受信したことを示す情報を、前記発信先の移動体通信端末に送信する
ことを特徴とする移動体通信システム。
【請求項６】
発信元の移動体通信端末に送信された音声データを、発信先の移動体通信端末に応じた送信先に送信する移動体通信方法において、
前記発信先の移動体通信端末が電波送受信不能状態にある場合に、前記音声データをデータ変換サーバに送信する音声データ送信ステップと、
前記音声データ送信ステップで送信された音声データを、前記データ変換サーバがパケットデータに変換するデータ変換ステップと、
前記データ変換ステップで変換されたパケットデータを、記憶手段に記憶させる記憶ステップと、
前記発信先の移動体通信端末との通信が可能になったときに、前記記憶手段が記憶しているパケットデータを、前記発信先の移動体通信端末に送信する送信ステップとを備えた
ことを特徴とする移動体通信方法。
【請求項７】
発信元の移動体通信端末に送信された音声データを、発信先の移動体通信端末に応じた送信先に送信する移動体通信方法において、
前記発信先の移動体通信端末が電波送受信不能状態にある場合に、前記音声データをデータ変換サーバに送信する音声データ送信ステップと、
音声データ送信ステップで送信された音声データを、記憶手段に記憶させる記憶ステップと、
前記音声データ送信ステップで送信された音声データを、前記データ変換サーバがパケットデータに変換するデータ変換ステップと、
前記データ変換ステップで変換されたパケットデータを、前記発信先の移動体通信端末に送信する送信ステップとを備えた
ことを特徴とする移動体通信方法。
【発明の詳細な説明】
【技術分野】
【０００１】
本発明は、発信先の移動体通信端末が電波送受信不能状態にあるときに送信された情報を、発信先の移動体通信端末に送信するデータ変換サーバ、移動体通信システム、および移動体通信方法に関する。
【背景技術】
【０００２】
発信元の携帯電話機と発信先の携帯電話機とが移動体通信網を介して情報を送受信する携帯電話システムがある。
【０００３】
図５は、移動体通信システムの一例を示す説明図である。図５に示すように、発信元の携帯電話機２０１の送受信部２０２は、移動体通信網２０３を介して、発信先の携帯電話機２０５の送受信部２０４に情報を送信する。
【０００４】
移動体通信網の基地局との通信が不可能な移動体通信サービスエリア圏外にいる携帯電話機、または電源オフ状態の携帯電話機に発信した場合に、発信元の携帯電話機には、「おかけになった電話は、電波の届かない場所におられるか、電源が入っていないためかかりません」という音声の音声データが送信される。
【０００５】
そして、相手方（発信先の携帯電話機のユーザ）に用件を伝えたい発信者（発信元の携帯電話機のユーザ）は、携帯電話機を操作して相手方の携帯電話機に用件を記載した電子メールを送信する。なお、相手方が移動体通信サービス提供会社による留守番電話サービス等に加入している場合には、発信者は、移動体通信サービス提供会社のサーバ等に音声データを記憶させることができる。
【０００６】
特許文献１には、着信時に応答できない場合に、発信者の音声データを記憶する携帯電話機が記載されている。
【０００７】
特許文献２には、移動体通信サービスエリア圏外にいる携帯電話機に発信した場合に、音声蓄積装置が発信者の音声データを記憶し、発信先の携帯電話機になされた操作に応じて、中央制御装置が記憶されている音声データを発信先の携帯電話機に送信する方法が記載されている。
【０００８】
【特許文献１】特開２００３−２３４８４１号公報（段落００１２〜００２８、図１）
【特許文献２】特開２００１−２０４０７８号公報（段落０００９〜００１５、図１）
【発明の開示】
【発明が解決しようとする課題】
【０００９】
発信先の携帯電話機が移動体通信サービスエリア圏外にいる場合に、相手方に電子メールで用件を伝えるために、発信者は、用件を記載した電子メールを作成して相手方の携帯電話機に送信させるという煩雑な操作を携帯電話機に行わなければならないという問題がある。
【００１０】
また、移動体通信サービス提供会社のサーバ等に音声データを記憶させた場合に、相手方は、移動体通信サービス提供会社のサーバ等に記憶された音声データにもとづく音声を聞くために、携帯電話機を操作して移動体通信サービス提供会社の所定の電話番号に発信させるという煩雑な操作を行わなければならないという問題がある。
【００１１】
特許文献１に記載されている携帯電話機には、発信先の携帯電話機が移動体通信サービスエリア圏外にいる場合に、音声データを記憶させることができないという問題がある。
【００１２】
特許文献２に記載されている方法は、発信者の音声データを受信するために、相手方は、携帯電話機を操作して中央制御装置に音声データの送信を要求するという煩雑な操作を行わなければならないという問題がある。
【００１３】
そこで、本発明は、発信先の移動体通信端末が移動体通信サービスエリア圏外にいるときに送信された情報を、煩雑な操作を行うことなく、発信先の移動体通信端末に送信することができるデータ変換サーバ、移動体通信システム、および移動体通信方法を提供することを目的とする。
【課題を解決するための手段】
【００１４】
本発明によるデータ変換サーバは、移動体通信網に接続されたデータ変換サーバであって、移動体通信網を介して発信元の移動体通信端末から発信先の移動体通信端末に送信された音声データを受信する受信手段と、音声データをパケットデータに変換するデータ変換手段と、データ変換手段が変換したパケットデータ、または受信手段が受信した音声データを記憶する記憶手段と、パケットデータを発信先の移動体通信端末に送信する送信手段とを備え、送信手段は、発信先の移動体通信端末との通信が可能になったときに、パケットデータを発信先の移動体通信端末に送信することを特徴とする。
【００１５】
本発明によるデータ変換サーバは、移動体通信網に接続されたデータ変換サーバであって、移動体通信網を介して発信元の移動体通信端末から発信先の移動体通信端末に送信された音声データを受信する受信手段と、音声データをパケットデータに変換するデータ変換手段と、データ変換手段が変換したパケットデータ、または受信手段が受信した音声データを記憶する記憶手段と、受信手段が音声データを受信したことを示す情報を、発信先の移動体通信端末に送信する送信手段とを備え、送信手段は、発信先の移動体通信端末との通信が可能になったときに、受信手段が音声データを受信したことを示す情報を、発信先の移動体通信端末に送信することを特徴とする。
【００１６】
送信手段は、発信元の移動体通信端末を示す情報と、パケットデータまたは音声データが記憶されている記憶場所を示す情報とを、発信先の移動体通信端末に送信してもよい。
【００１７】
本発明による移動体通信システムは、発信元の移動体通信端末に送信された音声データを、発信先の移動体通信端末に応じた送信先に送信する交換機を備えた移動体通信システムであって、交換機を介して発信元の移動体通信端末から発信先の移動体通信端末に送信された音声データを受信する受信手段と、音声データをパケットデータに変換するデータ変換手段と、データ変換手段が変換したパケットデータ、または受信手段が受信した音声データを記憶する記憶手段と、パケットデータを発信先の移動体通信端末に送信する送信手段とを含むデータ変換サーバを備え、交換機は、発信先の移動体通信端末が電波送受信不能状態にある場合に、音声データをデータ変換サーバに送信する音声データ送信手段を含み、データ変換サーバの送信手段は、発信先の移動体通信端末との通信が可能になったときに、パケットデータを発信先の移動体通信端末に送信することを特徴とする。
【００１８】
本発明による移動体通信システムは、発信元の移動体通信端末に送信された音声データを、発信先の移動体通信端末に応じた送信先に送信する交換機を備えた移動体通信システムであって、交換機を介して発信元の移動体通信端末から発信先の移動体通信端末に送信された音声データを受信する受信手段と、音声データをパケットデータに変換するデータ変換手段と、データ変換手段が変換したパケットデータ、または受信手段が受信した音声データを記憶する記憶手段と、受信手段が音声データを受信したことを示す情報を、発信先の移動体通信端末に送信する送信手段とを含むデータ変換サーバを備え、交換機は、発信先の移動体通信端末が電波送受信不能状態にある場合に、音声データをデータ変換サーバに送信する音声データ送信手段を含み、データ変換サーバの送信手段は、発信先の移動体通信端末との通信が可能になったときに、受信手段が音声データを受信したことを示す情報を、発信先の移動体通信端末に送信することを特徴とする。
【００１９】
本発明による移動体通信方法は、発信元の移動体通信端末に送信された音声データを、発信先の移動体通信端末に応じた送信先に送信する移動体通信方法であって、発信先の移動体通信端末が電波送受信不能状態にある場合に、音声データをデータ変換サーバに送信する音声データ送信ステップと、音声データ送信ステップで送信された音声データを、データ変換サーバがパケットデータに変換するデータ変換ステップと、データ変換ステップで変換されたパケットデータを、記憶手段に記憶させる記憶ステップと、発信先の移動体通信端末との通信が可能になったときに、記憶手段が記憶しているパケットデータを、発信先の移動体通信端末に送信する送信ステップとを備えたことを特徴とする。
【００２０】
本発明による移動体通信方法は、発信元の移動体通信端末に送信された音声データを、発信先の移動体通信端末に応じた送信先に送信する移動体通信方法であって、発信先の移動体通信端末が電波送受信不能状態にある場合に、音声データをデータ変換サーバに送信する音声データ送信ステップと、音声データ送信ステップで送信された音声データを、記憶手段に記憶させる記憶ステップと、音声データ送信ステップで送信された音声データを、データ変換サーバがパケットデータに変換するデータ変換ステップと、データ変換ステップで変換されたパケットデータを、発信先の移動体通信端末に送信する送信ステップとを備えたことを特徴とする。
【発明の効果】
【００２１】
本発明によれば、発信先の移動体通信端末に発信元から送信された音声データをパケットデータへの変換後、または変換前に記憶して、発信先の移動体通信端末が通信可能である場合に、パケットデータまたはパケットデータを記憶していることを示す情報を、発信先の移動体通信端末に送信することができる。
【００２２】
従って、発信元のユーザは、発信時に発信先の移動体通信端末が移動体通信サービスエリア圏外にいる場合に、発信元の移動体通信端末を操作して発信先の移動体通信端末に電子メールを送信したりすることなく、発信先の移動体通信端末のユーザに用件を伝えることができる。
【００２３】
送信手段が、発信元の移動体通信端末を示す情報と、パケットデータが記憶されている位置を示す情報とを、発信先の移動体通信端末に送信するように構成されている場合には、発信先の移動体通信端末に送信するデータ量を少なくすることができる。
【発明を実施するための最良の形態】
【００２４】
実施の形態１．
本発明による第１の実施の形態の移動体通信システムについて、図面を参照して説明する。図１は、本発明による第１の実施の形態の移動体通信システムの構成例を示す説明図である。
【００２５】
図１に示すように、第１の実施の形態の移動体通信システムは、留守番伝言サービスセンタ１０６に設置されたデータ変換サーバ１０７、および音声通信回線交換網１０３に設置された交換機１１１を含む。そして、発信元の携帯電話機（移動体通信端末）１０１と発信先の携帯電話機（移動体通信端末）１０５とは、音声通信回線交換網１０３を介して音声データを送受信する機能と、パケット交換網１０８を介してパケットデータを送受信する機能とを有する。
【００２６】
移動体通信網は、音声通信回線交換網１０３およびパケット交換網１０８によって実現される。なお、本例では移動体通信端末として携帯電話機を例に説明するが、ＰＨＳ（Ｐｅｒｓｏｎａｌ  Ｈａｎｄｙ  ｐｈｏｎｅ  Ｓｙｓｔｅｍ）端末や、通信機能を有するＰＤＡ（Ｐｅｒｓｏｎａｌ  Ｄａｔａ  Ａｓｓｉｓｔａｎｃｅ，  Ｐｅｒｓｏｎａｌ  Ｄｉｇｉｔａｌ  Ａｓｓｉｓｔａｎｔｓ）等であってもよい。
【００２７】
なお、図１に示す例では、携帯電話機１０１は、音声通信回線交換網１０３の基地局１１２との通信が可能な移動体通信サービスエリア圏内（以下、エリア圏内と記す）にいる。また、携帯電話機１０５は、音声通信回線交換網１０３の基地局１１３との通信が不可能な移動体通信サービスエリア圏外（以下、エリア圏外と記す）にいる。
【００２８】
携帯電話機１０１は、音声通信回線交換網１０３を介して音声データを送受信する音声送受信部１２１と、パケット交換網１０８を介してパケットデータを送受信するパケット送受信部１２２とを含む。なお、携帯電話機１０１は、音声通信回線交換網１０３を介して発信する場合に、発信先に電話番号を通知する。
【００２９】
携帯電話機１０５は、音声通信回線交換網１０３を介して音声データを送受信する機能を有する音声送受信部１２３と、パケット交換網１０８を介してパケットデータを送受信するパケット送受信部１２４とを含む。
【００３０】
音声通信回線交換網１０３に設置された交換機１１１は、発信先の携帯電話機１０５が電波送受信不能状態にある場合に、携帯電話機１０１から送信されたデータ（音声データ等）をデータ変換サーバ１０７に通信回線を介して送信し、データ変換サーバ１０７から送信されたデータ（音声データ等）を基地局１１２を介して携帯電話機１０１に送信する。なお、携帯電話機１０５の電波送受信不能状態として、例えば、エリア圏外にいる状態や、電源オフにされている状態がある。また、音声データ送信手段は、交換機１１１が備える制御手段（図示せず）および送信手段（図示せず）によって実現される
【００３１】
データ変換サーバ１０７は、音声通信回線交換網１０３を介して携帯電話機１０１から音声データ等を受信する受信手段１３１、情報を記憶する記憶手段１３４、音声通信回線交換網１０３を介して携帯電話機１０１に音声データを送信し、パケット交換網１０８を介して携帯電話機１０５にパケットデータを送信する送信手段１３２、および各部を制御する制御手段（データ変換手段）１３３を含む。
【００３２】
データ変換サーバ１０７には、音声データをパケットデータに変換するためのデータ変換プログラムが搭載されている。制御手段１３３は、データ変換プログラムに従って、携帯電話機１０１から音声通信回線交換網１０３を介して受信手段１３１が受信した音声データをパケットデータに変換する。そして、制御手段１３３は、変換したパケットデータを記憶手段１３４に記憶させる。
【００３３】
データ変換サーバ１０７の記憶手段１３４には、予め各携帯電話機の電話番号と電子メールアドレスとが対応付けられて記憶されている。
【００３４】
次に、本発明による第１の実施の形態の移動体通信システムの動作について、図面を参照して説明する。図２は、本発明による第１の実施の形態の移動体通信システムの動作を説明するフローチャートである。
【００３５】
交換機１１１は、発信先の携帯電話機１０５が電波送受信不能状態にある場合に、発信元の携帯電話機１０１から送信されたデータ（例えば、発信元の携帯電話機の電話番号を通知するための携帯電話機１０１の電話番号データや、発信先の携帯電話機の電話番号を通知するための携帯電話機１０５の電話番号データ）をデータ変換サーバ１０７に通信回線を介して送信する（ステップＳ１０１）。
【００３６】
データ変換サーバ１０７の制御手段１３３は、受信手段１３１が交換機１１１を介して携帯電話機１０１からデータを受信した場合に、送信手段１３２に、発信先へのメッセージの録音を促す音声データを音声通信回線交換網１０３を介して携帯電話機１０１へ送信させる（ステップＳ１０２）。そして、データ変換サーバ１０７の制御手段１３３は、受信手段１３１が携帯電話機１０１から音声データを受信した場合に、受信した音声データをデータ変換プログラムに従ってパケットデータに変換して記憶手段１３４に記憶させる（ステップＳ１０３）。
【００３７】
データ変換サーバ１０７の制御手段１３３は、携帯電話機１０１から通知された発信先の電話番号に対応付けられた電子メールアドレスを記憶手段１３４から抽出する（ステップＳ１０４）。データ変換サーバ１０７の制御手段１３３は、ユーザの移動に伴う等して携帯電話機１０５がエリア圏内に移動した場合に、記憶手段１３４に記憶させたパケットデータを、送信手段１３２に、パケット交換網１０８を介してステップＳ１０４で抽出した電子メールアドレスへ送信させる（ステップＳ１０５）。なお、データ変換サーバ１０７は、交換機１０６から、例えば定期的に、携帯電話機の位置情報を受信する。位置情報において、在圏していることが示されていれば、その携帯電話機が通信可能（電波送受信可能）であると判断する。
【００３８】
そして、送信されたパケットデータは、パケット交換網１０８を介して携帯電話機１０５に受信される。携帯電話機１０５は、ユーザによってなされた操作に従ってパケットデータを音声に変換して出力する。つまり、携帯電話機１０１から送信された音声データにもとづく音声（具体的には、携帯電話機１０１のユーザによる発信先へのメッセージの音声）が出力される。
【００３９】
本実施の形態によれば、発信先の携帯電話機１０５がエリア圏外にいる場合等に発信元の携帯電話機１０１から送信された音声データを、発信先の携帯電話機１０５がエリア圏内に移動したとき等に、パケット交換網１０８を介して（音声通信回線交換網１０３を介さずに）、発信先の携帯電話機１０５に送信することができる。従って、発信先の携帯電話機１０５がエリア圏外にいる場合に、発信元のユーザが、携帯電話機１０１を操作して携帯電話機１０５に電子メールを送信したりする手間を省くことができる。
【００４０】
また、発信先の携帯電話機１０５が、音声通信回線交換網１０３を介してデータを送受信することが不可能な場合に、パケット交換網１０８を介して音声データを送信することができる。
【００４１】
また、携帯電話機１０５が、受信したパケットデータを記憶した場合には、その後携帯電話機１０５がエリア圏外に移動した場合でも、携帯電話機１０５は、携帯電話機１０１から送信された音声データにもとづく音声を出力することができる。
【００４２】
なお、データ変換サーバ１０７の制御手段１３３は、ステップＳ１０５で送信手段１３２にパケットデータを送信させる代わりに、発信元の携帯電話機１０１の電話番号を示す情報と、パケットデータが記憶されている記憶場所（位置）のＵＲＬ（Ｕｎｉｆｏｒｍ  Ｒｅｓｏｕｒｃｅ  Ｌｏｃａｔｏｒ）を示す情報とを含む電子メールを送信手段１３２に送信させてもよい。
【００４３】
データ変換サーバ１０７の送信手段１３２が、音声データが変換されたパケットデータを送信する代わりに、発信元の携帯電話機１０１の電話番号を示す情報と、パケットデータが記憶されている位置のＵＲＬを示す情報とを含む電子メールを送信するように構成された場合には、送信するデータ量を少なくすることができる。そして、発信先の携帯電話機１０５のユーザが、受信したデータのデータ量に応じて支払う料金を低額にすることができる。
【００４４】
また、音声通信回線交換網１０３に設置された交換機１１１は、発信先の携帯電話機１０５が電波送受信不能状態にあるか否かに関わらず、ユーザによって携帯電話機１０１になされた操作に応じて、携帯電話機１０１から送信されたデータ（例えば、発信元の携帯電話機の電話番号を通知するための携帯電話機１０１の電話番号データや、発信先の携帯電話機の電話番号を通知するための携帯電話機１０５の電話番号データ）をデータ変換サーバ１０７に通信回線を介して送信してもよい。
【００４５】
具体的には、例えば、ユーザによって、携帯電話機１０１に予め決められた番号（例えば、３桁の数字）の後に発信先の携帯電話機１０５の電話番号が入力されて発信操作がなされた場合に、交換機１１１は、携帯電話機１０１から送信されたデータをデータ変換サーバ１０７に通信回線を介して送信する。そして、データ変換サーバ１０７の制御手段１３３は、図２に示すステップＳ１０２以降の処理を実行する。
【００４６】
交換機１１１が、ユーザによってなされた操作に応じて携帯電話機１０１から送信されたデータをデータ変換サーバ１０７に送信するように構成されている場合には、携帯電話機１０１のユーザが、携帯電話機１０５のユーザが応答できないことを予め知っていた場合に、発信先の携帯電話機１０５にパケット交換網１０８を介して（音声通信回線交換網１０３を介さずに）パケットデータを送信することができる。
【００４７】
そして、携帯電話機１０５が受信したパケットデータを記憶した場合に、携帯電話機１０５に、その後に、携帯電話機１０１から送信された音声データにもとづく音声を出力させることができる。
【００４８】
実施の形態２．
本発明による第２の実施の形態の移動体通信システムについて、図面を参照して説明する。図３は、本発明による第２の実施の形態の移動体通信システムの構成例を示す説明図である。
【００４９】
図３に示す第２の実施の形態の移動体通信システムは、災害等が発生した場合に、発信元の携帯電話機１０１から送信された音声データをパケットデータに変換して記憶する災害用サーバ１２０を含む。
【００５０】
その他の構成は、図１に示す第１の実施の形態の移動体通信システムの構成と同様なため、各構成要素には図１と同じ符号を付し、説明を省略する。
【００５１】
災害用サーバ１２０は、音声通信回線交換網１０３を介して携帯電話機１０１から音声データ等を受信する受信手段１４１、情報を記憶する記憶手段１４４、音声通信回線交換網１０３を介して携帯電話機１０１に音声データを送信し、パケット交換網１０８を介して携帯電話機１０５にパケットデータを送信する送信手段１４２、および各部を制御する制御手段１４３を含む。
【００５２】
災害用サーバ１２０には、音声データをパケットデータに変換するためのデータ変換プログラムが搭載されている。制御手段１４３は、データ変換プログラムに従って、携帯電話機１０１から音声通信回線交換網１０３を介して受信手段１４１が受信した音声データをパケットデータに変換する。そして、制御手段１４３は、変換したパケットデータを記憶手段１４４に記憶させる。
【００５３】
データ変換サーバ１０７の記憶手段１４４には、予め各携帯電話機の電話番号と電子メールアドレスとが対応付けられて記憶されている。
【００５４】
交換機１１１は、災害が発生した場合に、携帯電話機１０１から送信されたデータ（例えば、発信元の携帯電話機の電話番号を通知するための携帯電話機１０１の電話番号データや、発信先の携帯電話機の電話番号を通知するための携帯電話機１０５の電話番号データ）を災害用サーバ１２０に通信回線を介して送信し、災害用サーバ１２０から送信されたデータ（音声データ等）を基地局１１２を介して携帯電話機１０１に送信する。
【００５５】
なお、交換機１１１は、例えば、管理者によってなされた操作に従って、災害が発生したか否かを判断する。
【００５６】
次に、本発明による第２の実施の形態の移動体通信システムの動作について、図面を参照して説明する。図４は、本発明による第２の実施の形態の移動体通信システムの動作を説明するフローチャートである。
【００５７】
交換機１１１は、災害が発生したと判断した場合に、携帯電話機１０１から送信されたデータ（例えば、発信元の携帯電話機の電話番号を通知するための携帯電話機１０１の電話番号データや、発信先の携帯電話機の電話番号を通知するための携帯電話機１０５の電話番号データ）をデータ変換サーバ１０７に通信回線を介して送信する（ステップＳ２０１）。
【００５８】
災害用サーバ１２０の制御手段１４３は、受信手段１４１が交換機１１１を介して携帯電話機１０１からデータを受信した場合に、送信手段１４２に、発信先へのメッセージの録音を促す音声データを音声通信回線交換網１０３を介して携帯電話機１０１へ送信させる（ステップＳ２０２）。そして、災害用サーバ１２０の制御手段１４３は、受信手段１４１が携帯電話機１０１から音声データを受信した場合に、受信した音声データをデータ変換プログラムに従ってパケットデータに変換して記憶手段１４４に記憶させる（ステップＳ２０３）。
【００５９】
災害用サーバ１２０の制御手段１４３は、携帯電話機１０１から通知された発信先の電話番号に対応付けられた電子メールアドレスを記憶手段１４４から抽出する（ステップＳ２０４）。災害用サーバ１２０の制御手段１４３は、携帯電話機１０５との通信が可能になった場合に、記憶手段１４４に記憶させたパケットデータを、送信手段１４２に、パケット交換網１０８を介してステップＳ２０４で抽出した電子メールアドレスへ送信させる（ステップＳ２０５）。
【００６０】
そして、送信されたパケットデータは、携帯電話機１０５に受信される。携帯電話機１０５は、ユーザによってなされた操作に従ってパケットデータを音声に変換して出力する。つまり、携帯電話機１０１から送信された音声データにもとづく音声（具体的には、携帯電話機１０１のユーザによる発信先へのメッセージの音声）が出力される。
【００６１】
本実施の形態によれば、災害時に送信された発信元の携帯電話機１０１のユーザのメッセージを、発信先の携帯電話機１０５がパケット交換網１０８を介して通信可能な状態になったときに、発信先の携帯電話機１０５にパケット交換網１０８を介して（音声通信回線交換網１０３を介さずに）送信することができる。従って、発信先の携帯電話機１０５のユーザは、携帯電話機１０５に災害用サーバ１２０と情報を送受信させて、音声データが記憶されているか否かを確認する操作や、音声データの受信操作等を行うことなく、送信された音声データにもとづく音声を携帯電話機１０５に出力させることができる。
【００６２】
なお、以上に述べた各実施の形態では、制御手段１３３または制御手段１４３は、受信した音声データをパケットデータに変換して記憶手段１３４または記憶手段１４４に記憶させていたが（ステップＳ１０３，Ｓ２０３）、制御手段１３３または制御手段１４３は、受信した音声データを記憶手段１３４または記憶手段１４４に記憶させ、パケットデータを送信するときに、記憶手段１３４または記憶手段１４４に記憶されている音声データをパケットデータに変換し、変換したパケットデータを送信手段１３２または送信手段１４２に送信させてもよい。
【産業上の利用可能性】
【００６３】
本発明は、移動体通信システムに適用可能である。
【図面の簡単な説明】
【００６４】
【図１】第１の実施の形態の移動体通信システムの構成例を示す説明図である。
【図２】第１の実施の形態の移動体通信システムの動作を説明するフローチャートである。
【図３】第２の実施の形態の移動体通信システムの構成例を示す説明図である。
【図４】第２の実施の形態の移動体通信システムの動作を説明するフローチャートである。
【図５】移動体通信システムの一例を示す説明図である。
【符号の説明】
【００６５】
１０１、１０５  携帯電話機
１０３  音声通信回線交換網
１０６  留守番伝言サービスセンタ
１０７  データ変換サーバ
１０８  パケット交換網
１１１  交換機
１１２、１１３  基地局
１２０  災害用サーバ
１２１、１２３  音声送受信部
１２２、１２４  パケット送受信部
１３１、１４１  受信手段
１３２、１４２  送信手段
１３３、１４３  制御手段
１３４、１４４  記憶手段
【図１】
2008199300.tif 000003
【図２】
2008199300.tif 000004
【図３】
2008199300.tif 000005
【図４】
2008199300.tif 000006
【図５】
2008199300.tif 000007